(57)【特許請求の範囲】
【請求項１】
基板に設けられた固定接片と、この固定接片に接離可能な可動接片と、これら固定接片と可動接片を包囲する枠体と、前記可動接片を保持するスライド可能な操作体とを備え、
前記操作体に、前記枠体内を往復移動する駆動部と、この駆動部から前記枠体の一側面に形成された開口を通って外方へ突出するつまみ部と、このつまみ部側から前記開口を閉塞する遮蔽板とを設け、
前記駆動部の一側面と前記遮蔽板とで前記枠体の一側面を挾持すると共に、前記駆動部の他側面と前記枠体の他側面との間に隙間を形成したことを特徴とするスライド操作型スイッチ。
【請求項２】
前記枠体が金属板製のカバーからなり、このカバーに折曲形成した摺動片を前記駆動部の一側面と前記遮蔽板とで挾持したしたことを特徴とする請求項１に記載のスライド操作型スイッチ。
【請求項３】
前記遮蔽板に前記枠体の一側面と接触する突部を形成したことを特徴とする請求項１または２に記載のスライド操作型スイッチ。
【発明の詳細な説明】
【０００１】
【発明の属する技術分野】
本発明は、操作者の手指等で操作体をスライド操作することにより、可動接点を固定接点と接離させてオン・オフの切換え動作を行うスライド操作型スイッチに関する。
【０００２】
【従来の技術】
従来より知られているスライド操作型スイッチは、操作者によって手動操作される操作体と、この操作体に保持された可動接片と、基板に設けられた複数の固定接片と、これら可動接片や固定接片を包囲する枠体等で構成されており、前記操作体は枠体の相対向する両内壁を摺動面として往復移動するようになっている。そして、使用に際し、操作者が枠体から突出する操作体のつまみ部を手指等でスライド操作すると、操作体に連動して可動接点が固定接点と選択的に接離するため、オン・オフの切換え動作が行われる。
【０００３】
【発明が解決しようとする課題】
ところで、このようなスライド操作型スイッチにおいては、操作体の操作フィーリングを高める上で、操作体を枠体に対してガタつきなくスライド操作することが重要となるが、前述した従来技術にあっては、操作体を枠体の相対向する２つの内側面でガイドしているため、これら２個所のガイド部分を含めて操作体と枠体の相互を厳密に寸法管理する必要があり、製造コストが高騰するという問題があった。特に、枠体が金属板からなる場合は、金属板にガイド面となる２つの摺動面を平行に折曲加工しなければならないため、操作体のガタという問題は顕著となる。
【０００４】
また、仮りに操作体と枠体の寸法精度を高めることができたとしても、操作者が操作体のつまみ部を手指等でスライド操作する際に、操作体につまみ部を中心とする回転力が作用するため、２つのガイド面に作用するモーメントの違いに起因して、つまみ部から遠い方のガイド面に摺接する操作体の一側面が偏摩耗し、この点からも操作体のガタをなくすことが困難であった。
【０００５】
本発明は、このような従来技術の実情に鑑みてなされたもので、その目的は、簡単な構成で操作体のガタを防止し、操作フィーリングの良好なスライド操作型スイッチを提供することにある。
【０００６】
【課題を解決するための手段】
本発明は、操作体に設けられた遮蔽板と駆動部で枠体の一側面を挾持すると共に、この駆動部と枠体の他側面との間に隙間を形成することとした。このように、操作体のつまみ部に近い方の枠体の一側面を遮蔽板と駆動部で挾持すると共に、つまみ部から遠い方の枠体の他側面と駆動部との間に隙間を形成して非接触にすると、操作体のガイド部分がつまみ部に近い方の１個所だけで済むため、各部品に高い寸法精度は要求されなくなり、操作体のガタを少なくすることができる。
【０００７】
【発明の実施の形態】
本発明のスライド操作型スイッチでは、基板に設けられた固定接片と、この固定接片に接離可能な可動接片と、これら固定接片と可動接片を包囲する枠体と、前記可動接片を保持するスライド可能な操作体とを備え、前記操作体に、前記枠体内を往復移動する駆動部と、この駆動部から前記枠体の一側面に形成された開口を通って外方へ突出するつまみ部と、このつまみ部側から前記開口を閉塞する遮蔽板とを設け、前記駆動部の一側面と前記遮蔽板とで前記枠体の一側面を挾持すると共に、前記駆動部の他側面と前記枠体の他側面との間に隙間を形成した。
【０００８】
前記枠体は合成樹脂製でも金属板製でも良いが、金属板製のカバーを枠体として用いた場合に、このカバーの一側面に折曲形成した摺動片を操作体の遮蔽板と駆動部で挾持すると、操作者に帯電した静電気をカバーの摺動片から逃がすことができる。
【０００９】
また、前記遮蔽板は枠体の一側面と面接触していても良いが、遮蔽板に突部を形成すると、遮蔽板と枠体の一側面との接触面積が少なくなると共に、遮蔽板に適度の弾性が付与され、操作体の操作フィーリングを向上させることできる。
【００１０】
【実施例】
実施例を図面を参照して説明すると、図１はスライド操作型スイッチの斜視図、図２は該スイッチの縦断面図、図３は該スイッチの横断面図、図４は該スイッチの分解斜視図であり、実施例に係るスライド操作型スイッチは、合成樹脂で成形されたウエハ１と、合成樹脂で成形された操作体２と、この操作体２に保持された一対の可動接片３と、金属板製のカバー４とで構成されている。
【００１１】
前記ウエハ１は上面と両側面を開放した形状をなし、その底面の基板５には複数の固定接片６が立設されている。これら固定接片６は銅板の表面に貴金属メッキを施したもので、基板５の下面へ突出する部分は端子６ａとなっている。固定接片６はウエハ１の内部で二列に配設されており、それぞれの列で所定間隔を存して離間している。また、ウエハ１の内部には各固定接片６に対応して互いに平行な二列の突堤７が形成されており、これら突堤７はウエハ１に固定接片６をアウトサートする際に一体成形される。各固定接片６は突堤７の一側面内に露出しているが、この露出面を除く部分、すなわち、上端を含む全ての破断面は突堤７で覆われており、突堤７の他側面には複数のカム山７ａが形成されている。
【００１２】
前記操作体２には、角柱状の駆動部２ａと、この駆動部２ａの一側面から突出するつまみ部２ｂと、これら駆動部２ａとつまみ部２ｂ間に位置する遮蔽板２ｃとが一体成形されており、この遮蔽板２ｃの裏面には半球状の突起２ｄが形成されている。駆動部２ａの内部にはクリップ状の可動接片３が保持されており、それぞれの可動接片３には複数の接点３ａが相対向して設けられている。この可動接片３はリン青銅等の弾性に富む材料で形成されており、前記突堤７の両側面を挾持するように挿入されている。
【００１３】
前記カバー４は枠体を成すものであり、その長方形状の上面の各辺は直角に折り曲げられている。このカバー４は前記ウエハ１の開放端を覆うようにウエハ１に一体化されており、カバー４の内部に前記操作体２の駆動部２ａが配置されている。カバー４の長手方向の一側面に折り曲げられた部分は一対の摺動片４ａとなっており、これら摺動片４ａの間に開口８が形成されている。操作体２のつまみ部２ｂと遮蔽板２ｃはこの開口８からカバー４の外部へ突出しており、遮蔽板２ｃは開口８を目隠しできる程度の大きさに設定されている。図２と図３に示すように、カバー４の両摺動片４ａは遮蔽板２ｃの突起２ｄと遮蔽板２ｃに対向する駆動部２ａの一側面とで挟持されており、駆動部２ａの他側面とカバー４との間には隙間Ｓが形成されている。また、カバー４の短手方向に折り曲げられた部分には自立片４ｂが形成されており、スライド操作型スイッチが図示せぬプリント基板に実装された際に、自立片４ｂはプリント基板の接地ランドに半田付けされる。
【００１４】
次に、上記の如く構成されたスライド操作型スイッチの動作について説明する。操作者がウエハ１から突出する操作体２のつまみ部２ｂを手指等でスライド操作すると、駆動部２ａに保持された両可動接片３は対応する突堤７の長手方向に移動する。その際、操作体２の遮蔽板２ｃと駆動部２ａの一側面とはカバー４の摺動片４ａを挟持し、駆動部２ａの他側面とカバー４とは隙間Ｓを保って非接触であるため、操作体２はカバー４の摺動片４ａのみをガイド面として往復移動する。これにより、可動接片３の一方の接点３ａが複数の固定接片６と選択的に接離し、オン・オフの切換え動作が行われると共に、可動接片３の他方の接点３ａが複数のカム山７ａと選択的に係脱し、操作者はオン・オフの切換え動作が行われたことをクリック感を伴って確認することができる。
【００１５】
このように、本実施例に係るスライド操作型スイッチによれば、操作体２のつまみ部２ｂに近接するカバー４の摺動片４ａを遮蔽板２ｃと駆動部２ａとで挾持すると共に、つまみ部２ｂから遠い方のカバー４の側面と駆動部２ａとの間に隙間Ｓを形成したため、操作体２をガイドする部分がつまみ部２ｂに近い摺動片４ａの１個所だけで済み、各部品に要求される寸法精度を抑えて製造コストの低減化が図れ、操作体２のガタを少なくすることができる。また、遮蔽板２ｃに突部２ｄを形成したため、遮蔽板２ｃと摺動片４ａとの接触面積が少なくなると共に、遮蔽板２ｃに適度の弾性が付与され、操作体２の操作フィーリングを向上することできる。さらに、操作者に静電気が帯電していたとしても、この静電気をカバー４の摺動片４ａから自立片４ｂを介してプリント基板の接地ランドに逃がすことができるため、静電気が可動接片３や固定接片６に流れ込むことを確実に防止することができる。
【００１６】
なお、上記実施例では、二列の固定接片６群と２個の可動接片３を有する２連タイプ（２回路用）のスライド操作型スイッチを挙げて説明したが、スイッチの連数は２連に限定されず、単連（１つ）あるいは３連以上にも適用することができる。
【００１７】
また、上記実施例では、操作体２が水平方向に移動するホリゾンタルタイプのスライド操作型スイッチについて説明したが、操作体２が垂直方向に移動すバーチカルタイプのスライド操作型スイッチにも本発明を適用できるのはいうまでもないことである。
【００１８】
さらに、上記実施例では、操作体２の遮蔽板２ｃに形成した突部２ｄをカバー４の摺動片４ａに当接させた場合について説明したが、突部２ｄのないフラット形状の遮蔽板２ｃを摺動片４ａに当接させても良い。
【００１９】
【発明の効果】
本発明は、以上説明したような形態で実施され、以下に記載されるような効果を奏する。
【００２０】
操作体のつまみ部に近い方の枠体の一側面を遮蔽板と駆動部で挾持すると共に、つまみ部から遠い方の枠体の他側面と駆動部との間に隙間を形成することにより、操作体のガイド部分がつまみ部に近い方の１個所だけで済むため、各部品に高い寸法精度は要求されなくなり、操作体のガタを少なくすることができる。
【００２１】
また、金属板製のカバーを枠体として用い、このカバーの一側面に折曲形成した摺動片を操作体の遮蔽板と駆動部で挾持すると、操作者に帯電した静電気をカバーの摺動片から逃がすことができ、静電対策を施すことができる。
【００２２】
また、遮蔽板に形成した突部を枠体の一側面に接触させると、遮蔽板と枠体の一側面との接触面積が少なくなると共に、遮蔽板に適度の弾性が付与されるため、操作体の操作フィーリングを向上させることできる。
【図面の簡単な説明】
【図１】本発明の一実施例に係るスライド操作型スイッチの斜視図である。
【図２】該スイッチの縦断面図である。
【図３】該スイッチの横断面図である。
【図４】該スイッチの分解斜視図である。
【符号の説明】
１  ウエハ
２  操作体
２ａ  駆動部
２ｂ  つまみ部
２ｃ  遮蔽板
２ｄ  突起
３  可動接片
４  カバー
４ａ  摺動片
４ｂ  自立片
５  基板
６  固定接片
８  開口
Ｓ  隙間
【図１】
0003544778.tif 000002
【図２】
0003544778.tif 000003
【図３】
0003544778.tif 000004
【図４】
0003544778.tif 000005